(57)【要約】【課題】光学レンズの縁における白い薄膜の外観を減らすことにより、及び光学レンズの表面の周囲に沿って現れる白い環の外観を減らすことにより、眼鏡の美的な外観を向上させる。【解決手段】光学レンズは、レンズの縁（１１０）に添付されたカラーコーティングを有している。本装置は、眼鏡を正面から見たときに、レンズの表面（１２０）の周辺に沿って現れる白いリングの外観を減らすことにより、及び光学レンズの面の周囲に沿って見えている白い環の外観を減らすことにより、及び、眼鏡を側面から見たときに、レンズの縁の白い薄い膜の外観を減らすことにより、眼鏡（２００）の美的な外観を向上させることができる。本装置は、また、レンズの縁を通して入る光が発生させる光学レンズのギラつきも減らすことができる。【選択図】図２ａ
2004526204.tif 000002
【特許請求の範囲】
【請求項１】
縁を有するレンズにカラーコーティングを加える方法であって、
前記方法は、レンズの前面及び後面部分の少なくとも一部に疎水性のコーティングを加える工程と、
前記レンズを切断し、縁を整える工程と、
前記レンズの縁の少なくとも一部にカラーコーティングを加え、そして余分なコーティングを取り去る工程とを備えた方法。
【請求項２】
第１の表面、第２の表面、及び縁を有するレンズを処理する方法であって、
前記方法は、前記レンズの前記第１の表面の少なくとも第１の部分に第１のコーティングを加える工程と、
前記レンズの縁の少なくとも一部に第２のコーティングを加える工程とを備え、そのような前記レンズの前記縁の少なくとも一部は、前記レンズの前記第１の表面の前記第１の部分の少なくとも一部に隣接しており、
前記方法は、また、前記第１のコーティングから前記第２のコーティングを取り去る工程を備えることを特徴とする方法。
【請求項３】
請求項２に記載の方法において、
前記第１のコーティングは、疎水性のコーティングであることを特徴とする方法。
【請求項４】
請求項３に記載の方法において、
前記第２のコーティングは、カラーコーティングであることを特徴とする方法。
【請求項５】
請求項２に記載の方法において、
前記方法は、さらに、前記レンズの前記第２の表面の少なくとも第２の部分に第３のコーティングを加える工程を備えることを特徴とする方法。
【請求項６】
請求項５に記載の方法において、
前記第１のコーティングと前記第３のコーティングは疎水性のコーティングであり、前記第２のコーティングは、カラーコーティングであることを特徴とする方法。
【請求項７】
請求項５に記載の方法において、
前記方法は、さらに、前記第３のコーティングから前記第２のコーティングを取り去る工程を備えることを特徴とする方法。
【請求項８】
請求項４に記載の方法において、
前記第１のコーティングから前記第２のコーティングを取り去る工程は、前記第２のコーティングが乾いた後に、行われることを特徴とする方法。
【請求項９】
請求項７に記載の方法において、
前記第３のコーティングから前記第２のコーティングを取り去る工程は、前記第２のコーティングが乾いた後に行われることを特徴とする方法。
【請求項１０】
請求項４に記載の方法において、
前記第２のコーティングは、アセトン、アルコール、及びノンアセトンを備える群のうち少なくとも一つを加えることにより、前記第１のコーティングから取り除かれることを特徴とする方法。
【請求項１１】
第１の表面及び第２の表面を有するレンズを処理する方法であって、
前記方法は、前記レンズの前記第１の表面の少なくとも第１の部分に第１のコーティングを加える工程と、
前記レンズの前記第１の表面の前記第１の部分の少なくとも一部を備える前記レンズの少なくとも一部を取り去ることにより縁を形成する工程と、
前記レンズの前記縁の少なくとも第２の部分に第２のコーティングを加える工程とを備え、前記レンズの前記縁のそのような第２の部分は、前記レンズの前記第１の表面の前記第１の部分の少なくとも一部に隣接し、
前記方法は、また、前記第１のコーティングから前記第２のコーティングを取り去る工程を備えていることを特徴とする方法。
【請求項１２】
請求項１１に記載の方法において、
前記第１のコーティングと前記第３のコーティングは、疎水性のコーティングであり、前記第２のコーティングはカラーコーティングであることを特徴とする方法。
【請求項１３】
請求項１１に記載の方法において、
前記形成する工程は、前記レンズを研磨することにより成されることを特徴とする方法。
【請求項１４】
請求項１１に記載の方法において、
前記形成する工程は、前記レンズを切断することにより成されることを特徴とする方法。
【請求項１５】
請求項１１に記載の方法において、
前記方法は、さらに、前記レンズの前記第２の表面の少なくとも第２の部分に第３のコーティングを加える工程を備えることを特徴とする方法。
【請求項１６】
第１の表面と第２の表面とを有するレンズを処理する方法であって、
前記方法は、前記レンズの前記第１の表面と前記第２の表面に疎水性のコーティングを加える工程と、
前記レンズの少なくとも１つの部分を取り去ることにより、縁を形成する工程と、
少なくとも前記縁にカラーコーティングを加える工程と、
疎水性のコーティングからカラーコーティングを取り去る工程とを備えたことを特徴とする方法。
【請求項１７】
請求項１６に記載の方法において、
カラーコーティングを加える前記工程は、疎水性のコーティング剤に前記レンズを浸すことにより行われることを特徴とする方法。
【請求項１８】
請求項１６に記載の方法において、
カラーコーティングを加える前記工程は、レンズをカラーコーティング剤に浸すことにより行われることを特徴とする方法。
【請求項１９】
請求項１６に記載の方法において、
疎水性のコーティングを加える前記工程は、スプレーを使用して行われることを特徴とする方法。
【請求項２０】
請求項１６に記載の方法において、
カラーコーティングを加える前記工程は、スプレーを使用して行われることを特徴とする方法。
【請求項２１】
請求項１６に記載の方法において、
縁を形成する前記方法は、グラインダーを使用して行われることを特徴とする方法。
【請求項２２】
請求項１６に記載の方法において、
縁を形成する前記方法は、カッターを使用して行われることを特徴とする方法。
【請求項２３】
請求項１６に記載の方法において、
前記カラーコーティングを取り除く工程は、アセトン、ノンアセトン、アルコール、及び水の群から少なくとも１つを使用して、行われることを特徴とする方法。
【発明の詳細な説明】
【技術分野】
【０００１】
本発明は、光学レンズコーティングに関し、特に、眼鏡に使用される光学レンズへのコーティングの適用に関する。
【背景技術】
【０００２】
この出願は、引用することによりその全体が本出願に組み込まれる、２０００年７月２１日に出願された第０９／６２１，２２３号の一部継続出願である。
フレームに取り付けられた眼鏡レンズは、美的な問題を有している。しばしばレンズはフレームより厚く、レンズの縁は、目立つ白い薄膜を有している。眼鏡を横から見ると、レンズの縁は、フレームの縁を越えて延びることがある。これによって、外見上魅力的ではなくなる。というのは、白い薄膜の縁はフレームの色と対照して目立つからである。
【０００３】
一つの解決法は、白い薄膜を除去するために、レンズの縁を磨くことである。研磨は、しばしば縁なしフレームのために使用される。しかしながら、縁なしフレーム以外のフレームで使用されるレンズの縁の研磨は、レンズの縁をより目立たせてしまうことがある。さらに、レンズの縁の研磨は、より多くの光が側方からレンズに入るのを許してしまうため、それによって、着用者の目に対してまぶしい光を増加させてしまう。
【０００４】
眼鏡レンズは、しばしば、特定の処方箋において空欄の書式で売られる。さらに、処方箋なしのレンズが利用されることがある。それらは、いくつかの材料から作られる。かかる材料としては、ガラス、プラスティック、ポリカーボネート、及び高い屈折率を有する種々のタイプの材料が挙げられるレンズの半製品（又はレンズ素材）は、既に付着された材料からなるある一定の追加層がついていることがある。例えば、レンズの半製品は、傷防止コーティング、ＵＶフィルター層、色の層、ギラつきを防止するコーティングを有していることがあり、時には疎水性のコーティングを有していることがある。そのうえ、ミラーコーティングのような他の層も時々使用される。もし、レンズの半製品が、既に加えられたギラつきを防止するコーティングもしくは疎水性のコーティングを備えていたら、色を付けることはできない。
【発明の開示】
【課題を解決するための手段】
【０００５】
光学レンズの縁における白い薄膜の外観を減らすことにより、及び光学レンズの表面の周囲に沿って現れる白い環の外観を減らすことにより、眼鏡の美的な外観を向上させる技術を有することは望ましい。
【０００６】
光学レンズの縁にカラーコーティングを加えることにより、光学レンズの縁の白い薄膜の外観が減り、光学レンズの表面の周囲に沿った白いリングの出現が減るため、眼鏡の美的な外観は向上し、レンズの縁を通して入る光が発生させる光学レンズのギラつき（グレア）も減らすことができる。
【０００７】
前述の一般的な説明及び以下の詳細な説明は、具体例や説明であって、請求項に係る発明の更なる説明を与えているということは、理解されるであろう。
【実施例】
【０００８】
度の強い眼鏡の処方箋を有している多くの人々は、レンズがはめられるフレームよりレンズの方が厚くなるため、眼鏡をかけることを避けている。そのようなレンズは、レンズの縁で見えている白い薄膜が眼鏡のフレームの色と対照して目立ってしまうので、かなり人目を引いてしまう。本発明の一つの実施例は、レンズの縁にカラーコーティングすることによって、レンズの縁に見える白い薄膜の外観を減らし、カラーコーティングが、レンズをはめるフレームの色に合うようにすることにより、眼鏡の美的な外観の向上に導くようにするものである。
【０００９】
ファッション産業は、レンズの反射のため、写真撮影において眼鏡を使用することを避けている。モデルが眼鏡をかける必要がある特定の写真の場合は、フレームのレンズは、種種の理由により、伝統的に取り外されている。ファッション産業がレンズを取り外す一つの理由は、レンズの表面で反射するライトからのまぶしい光のためである。ギラつき防止のコーティングは、レンズの表面で反射するライトの量を減少させることことができる。しかしながら、レンズの縁を通して入る光のため、レンズの表面の周辺に沿って白いリングも現れる。レンズの縁は、光がそこを通るのを許容し、レンズの表面の周辺の白いリングの外観を発生させる。レンズの表面の周囲に沿って現れるこのリングは、眼鏡の着用者と他の人との両者に見えるものである。
【００１０】
第１の実施例において、不透明なカラーコーティングがレンズの縁に加えられ、レンズの縁を通る光の量を減少させ、それによって、そうしなければレンズの表面の周辺に沿って現れる白いリングの出現を減少させる。
【００１１】
第２の実施例において、カラーコーティングは、フレームの色と対照させて選択されることにより、眼鏡着用者に追加のファッションチョイス（すなわち、ファッションの選択肢）を与え、なお、レンズの表面の周囲に沿って現れる白いリングの出現を減少させる利益を与えている。
【００１２】
第３の実施例において、半透明のカラーコーティングがレンズの縁に加えられ、いくらかの光が通過するのを許容し、レンズに色づけを与える一方、なお、同様の利点を達成している。
【００１３】
第１の実施例を、図１、２ａ、２ｂを参照して、説明する。この実施例は、レンズの縁の白い薄膜により引き起こされる問題点に向けられている。図１は、縁１１０及び表面１２０を有する眼鏡レンズ１００の三次元の図面である。
【００１４】
図２ａは、フレーム２１０に取り付けられたレンズ１００を有する眼鏡２００の側面図である。図示されたレンズ１００は、縁１１０（すなわり、エッジ）と表面１２０とを備えている。フレーム２１０の縁を越えて延びているレンズの縁１１０により示されているように、レンズ１００はフレーム２１０より厚い。一つの実施例において、カラーコーティングがレンズの縁１１０に加えられる。コーティングの色は、レンズ１００が取り付けられるフレーム２１０の色に合わせられる。レンズ１００の縁１１０をフレーム２１０の色に合うように色づけすることにより、レンズの縁１１０は、美的にフレーム２１０と融合し、横から見てはるかに目立たなくなったレンズの縁１１０を作ることができる。
【００１５】
図２ｂは、眼鏡２００の正面図である。フレーム２１０は、表面１２０を有している。レンズの表面１２０にある白いリング２２０は、光がレンズの縁１１０を通過するとき、レンズの表面１２０の周囲を取り囲む（図２ａ参照）。この実施例において、不透明なコーティングをレンズの縁１１０に加えることは（２ａ参照）、光がレンズの縁１１０を通して入ってくるのを妨げ、レンズの表面１２０の白いリング２２０の出現を減少させ、もしくは排除する。美的観点から、レンズの表面１２０は、今は、レンズの表面１２０の周囲に沿って走っている白いリング２２０の出現なしに、フレーム２１０のすべての箇所で延びている。
【００１６】
第２の実施例を、図１、２ａ、及び２ｂを参照して説明する。この実施例において、不透明なカラーのコーティングが、レンズの縁１１０に加えられ、これはフレーム２１０の色に合わせていない。この不整合な色は、レンズの縁１１０をフレーム２１０の色と美的に対照させることができる。この実施例におけるコントラストの不透明なカラーコーティングは、なお、レンズの縁１１０から入ってくる光を防ぐことができ、それによって白いリング２２０の出現を減少させることができる。
【００１７】
第３の実施例を、図１、図２ａ及び図２ｂを参照して説明する。この実施例においては、半透明のカラーコーティングが、レンズの縁１１０に加えられる。そのような半透明の色は、いくらかの光をレンズの縁１１０を通してレンズ１００に入るのを許容する。レンズの縁１１０の半透明のカラーコーティングを有するレンズ１００が、フレーム２００に取り付けられ、眼鏡２００の正面から見たとき、レンズの表面１２０は、半透明のカラーコーティングの色合いを帯びる。
【００１８】
カラーコーティングの一つの実施例は、市販しているアクリル性のエナメルペイント、もしくは市販されているフィンガーネイルエナメル（指のマニキュア液）が挙げられる。コーティングの色は、各々のフレームの様式や色に合うようにカスタムミックスされる（すなわち、顧客の注文に合わせて混ぜる）ことができる。あるいは、色は買い手又は顧客によって選ばれ、コーティングは不透明もしくは半透明のどちらがよいかが選ばれる。光学レンズにスクラッチコーティング（すなわち、下地こすり）をして、カラーコーティングをするようにしてもよい。これによって、そのカラーコーティングの強さを強化することができる。あるいは、所定範囲の又は所定のスペクトルからなる種々の色のエナメルを用意することができ、色もしくは引用チャートから個人的な判断で比較的近い整合（マッチ）したものを着用者が選択することにより、調和するものを得ることができる。他の例では、用意された範囲又はスペクトルの色の選択は、フレームのブランドと関係し、メタリックカラーのような追加のものを選ぶこともできる。さらに、別の実施例では、マルチプルブラシパスを利用して、前面側のレンズの縁から後面側のレンズの縁もしくはその縁のどんな位置までも縁に沿って次第になる、色の漸次のシェーディング（すなわち、色の漸次的な変化）を加えることができる。
【００１９】
別の実施例において、色は、着用者の肌のトーンもしくはワードローブの選択に関係してくるだろう。いくつかのサンプルが実例として紹介されるが、これに限定されるものではない。あるフレームは、レンズの縁を完全に包んでいない。例えば、入手可能なフレームの型は、３つの穴による取り付け（３  ｐｉｅｃｅ  ｄｒｉｌｌ  ｍｏｕｎｔ）として知られている。レンズをフレームの部品に固定するために、典型的なベベルよりむしろ、レンズの穴が使われる。同様に、フレームレスフレームとして知られている縁なしのフレームは、一般的には、各々のレンズを支持するため、伝統的なベベルよりむしろ、レンズの溝を通している透明な可撓性のワイヤを使用して構成されている。これらの場合、着用者の肌のトーンに概ね合わせるために、自然な肌のトーンのレンズの縁のコーティングが望ましいだろう。肌のトーンの色は、エナメルのようなコーティングの与えられた配列から選択されたり、あるいは、カスタムミックスされたりする。
【００２０】
さらに、縁なしフレームを含んだフレームと、３つのドリルマウントフレーム（３  ｐｉｅｃｅ  ｄｒｉｌｌ  ｍｏｕｎｔ  ｆｒａｍｅｓ）とは、交換可能であり、表してきたレンズコーティングは、変える必要がある。これは、正確ではないオリジナルのカラーチャートの分析を持っていて、改訂されたカラーチャートを手に入れた後、色のフレームを含めたワードローブをオーバーホールすることを決めたような場合である。
【００２１】
別の実施例において、ミラーコーティングされたレンズや色付サングラスレンズのようなレンズは、色を有している。このようなケースにおいて、レンズコーティングカラーは、フレームカラーもしくはレンズカラーに概ね合うように選択される。あるいは、色は、レンズの色からフレームの色までブレンドすることができる。
【００２２】
別の実施例において、処方箋が必要なもしくは必要でないものを含んだ偏光レンズのようなレンズは、偏光フィルムコーティングを有している。それらは、疎水性のコーティングを有している。それらのレンズは、縁のカットにより、不利益に影響を受ける。従って、このような縁はコーティングされる。
【００２３】
他の実施例において、フォトクロマチック（色が可変のすなわち変化するレンズ）及びサングラスは、色を有している。このようなケースでは、レンズコーティングカラーは、底のようなレンズの一つの側面にある縁から、上部のようなレンズの他の側面の縁まで変化するように選択することができる。
【００２４】
別の実施例において、コーティングの色は、カラーマッチングコンピュータシステムを使用して、フレームの色に合わせられ、該システムは、センサーの下に置かれたフレームの色に合うように、一緒に混合する異なるペイントの量を決定する。多くの作業台に取り付けられるもしくはハンドヘルドの分光光度計が市販されており、ＣＭ−３２００ｄ及びマッチライト（ＭａｔｃｈＲｉｔｅ：登録商標）カラーマッチングシステムを含むミノルタにより販売されているものが挙げられる。それらのセンサーは、手動のプロセスで使用されることができ、もしくは、オートメーションのレンズの縁コーティングプロセスの一部として使用されることもできる。さらに、フレームの色情報は、データベースに蓄積され、手動でもしくは自動で適正な色を選び取るのに使用される。同様にして、色の付けられたレンズは、分光光度計で走査され、漸次に変わる色の場合すら、色の幅が区別される。色の付けられたレンズの場合は、レンズとフレームの各々から少なくとも一つの読み取りが使用される。
【００２５】
他の実施例において、カラーマッチングシステムは、モニマチックスタジオ（Ｍｏｎｉｍａｔｉｃ  Ｓｔｕｄｉｏ）を含むペイントストアで使用されるもののような自動カラーミックス機械を含んでいる。好ましくは、システムは、必要なコーティングの量と比例したスケールで操作される。レンズコーティングの材料は、好ましくは、ミラージュ（Ｍｉｒａｇｅ：登録商標）で入手可能のマニキュア液（ネイルポリッシュ）である。しかしながら、コーティングには、顔料、接合剤、溶剤、及び任意の効果的な追加物から通常構成されるペイントを含む適正なコーティングの全てが含まれ、前記任意の効果的な追加物には、金属薄片と、応用例や貯蔵寿命特性を改善するような特性追加物とが挙げられる。レンズの縁のコーティングは、全体的に見て、幅広い範囲の色に概ね利用可能な、パーマネントマーカー物質（permanent marker substances：永久標識となっている物質）を含む。多くのパーマネントマーカーはアルコールで取り除くことができる。
【００２６】
レンズにコーティングを加える方法の一つの実施例が、図３を引用して表されている。第１に、レンズは選択されたフレームに合うように「エッジが付けられる又は鋭くされる」が、その意味は、特定のフレームに合うようにカット又は切断することである（ステップ３０５）。次に、レンズを「安全又はセーフティ」にするが、その意味は、レンズの鋭い縁を取り去り、着用者に対して危険を有する事がないようにする（ステップ３１０）。そして、レンズは、アルコールできれいにふかれ、清潔であることを確実にする（ステップ３１５）。エナメルペイントは、その後混合され、コーティングの望ましい色を作る（ステップ３２０）。カラーコーティングは、その後、ペイントブラシもしくは他のペイントアプリケーターを使用して、レンズの縁１１０に加えられる（ステップ３２５）。レンズは、その後、乾燥される（ステップ３３０）。カラーコーティングの任意の第２の被膜（コート）は、その後、レンズの縁１１０に加えられ、レンズは再び乾燥される（ステップ３３５及び３４０）。レンズの表面１２０にこぼれた余分のカラーコーティングは、市販されている、アセトンを基礎としたもしくはアセトンを基礎としていないペイント希釈剤を使用して、取り去られる。レンズは、その後、紫外線の下に置かれ、カラーコーティングを乾燥させるのを補助する（ステップ３４５）。あるいは、レンズは、ホットエアブロアもしくはフレームウォーマーに置かれることができる。レンズは、その後、スクラッチ防護材（スクラッチガード）に浸され、削られたりすることから、カラーコーティングを保護するのを助ける（ステップ３５０）。もしくは、カラーコーティングがステップ３２０で混ぜられるときに、スクラッチガード用のコーティングが、カラーコーティングに加えられる。最後に、レンズは再び乾燥される（ステップ３５５）。
【００２７】
実施例は、光学レンズの縁全体にカラーコーティングを加えることを要求していないということは、理解されるであろう。例えば、別の実施例における図２ａの眼鏡２００を参照すると、カラーコーティングは、フレーム２１０でカバーされていないレンズ１００の縁１１０の一部だけに加えられる。
【００２８】
好ましい実施例においては、マニキュア液（ネイルポリッシュ）は、レンズコーティングとして手で加えられる。乾燥された後、マニキュア液（ネイルポリッシュ）は、アセトンのような市販されているマニキュア液リムーバー（ネイルポリッシュリムーバー）で取り除くことができる。しかしながら、もし余分なコーティングが、疎水性のコートがされたレンズの前面及び後面に加えられたならば、アルコールを使用して簡単に取り去ることができる。上述したように、多数のコートが使用され、紫外線にさらしたり、紫外線で焼いたりするような後処理（後のプロセス）が利用される。
【００２９】
追加の実施例においては、第１のコーティングは、レンズブランクの前面と後面に加えられる。第１のレンズのコーティングは、犠牲的なコーティングである。第１のコーティングは、好ましくは、レンズの縁のコーティングが付着しないように、コーティングされる。もしくは、それは、フレーム、レンズ（もしくは他のコーティング）、及びレンズコーティング（好ましくはマニキュア液又はネイルポリッシュ）を損ねない物質に溶解するコーティングである。あるいは、余分なレンズの縁のコーティングを、レンズの縁のコーティングよりも容易に、レンズの前面及び後面から取り去ることができるコーティングである。レンズがカットされ、縁が安全にされた（必要ならば）後、レンズの縁のコーティングが加えられる。その後は、溶剤を犠牲的なコーティングと余分なレンズの縁のコーティングとを取り去るのに、利用される。
【００３０】
あるいは、より大きな安全な縁を用いて、コーティングされる面に大きな縁を形成するようにしてもよい。そのようなコーティングは、フレームを厚く見せたり、コントラストのため他の色が加えられる表面を提供したりするのに、利用されることができる。
【００３１】
別の方法では、レンズコーティングは、レンズの縁のコーティングの適用を容易にするために、利用される。例えば、レンズブランクは、両面に疎水性のコーティングを施されることができる。その後、レンズはフレームに合うようにカットされ、それによって、疎水性のコーティングは、カットされた縁にはない。安全な縁は、しばしばレンズの縁に関する法律によって、要求される。
自動的に加えられる安全な縁は、厳格すぎ、レンズの表面１２０から多すぎる材料を取り去ってしまう。従って、好ましくは、適切な砥石車を使用して、手で安全な縁にし（もしくは、フレームに取り付けられたベベルと異なる「安全なベベル」）にし、それによって、法の要求に従った、最小限の安全な縁が達成される。しかしながら、特に、もし安全な縁の公差若しくは許容差が、要求される安全な縁の大きさより少しだけ大きいだけなら、自動の機械が使用されることができる。そのうえ、縁は、アルコールやその他の適した準備で、異物が取り除かれあるいは整えることができる。その後、レンズコーティングを、加えることができる。
【００３２】
追加の実施例において、レンズの縁の自動コーティングシステムが提供される。レンズハンドリング装置は、レンズブランク切断機械の種類により示されているように、よく理解されている。自動機械は、データインプットもしくはセンサーインプットからの所望の縁の色を得る。そして、自動機械は、個別的に用意されたコーティング材料インプット、もしくは、コーティング材料の入手可能の又はカスタムミックスのパレットから、実質的に適正なマッチする色を選択する。レンズブランクは、上述したように、適切にコーティングされる。レンズブランクは、疎水性のコーティングで事前にコート（被覆）され、すなわち、機械は、疎水性のもしくは他の犠牲的なコーティングを提供することができる。レンズブランクは、その後カットされ、安全な縁にされる。機械は、その後、ペイントの大桶への浸液、ブラシ、もしくはスプレー湿布を使用して、コーティングを加える。レンズの縁のコーティングは、好ましくは、レンズの前面もしくは後面のトップコーティングに付着しない。その後、レンズコーティングが随意的に処理され、洗浄溶液に浸され、処置の前後に、随意的にブラシを掛けたりふき取られたりしてきれいにされる。
【００３３】
当業者にとって、発明の本質や範囲から離れることなく、種種の変形、変更が本発明のシステムやプロセスで行われることは認識されることである。従って、
添付した特許請求の範囲及びその均等物の範囲内でされる変形、変更を本発明はカバーしている。このような関係において、均等物とは、たとえ明示的に記載されていなくても、請求項で挙げられている機能を遂行できる各々の及び全ての手段を意味している。
【図面の簡単な説明】
【００３４】
【図１】図１は、縁１１０及び表面１２０を有する眼鏡レンズ１００の三次元の図面である。
【図２ａ】図２ａは、フレーム２１０に取り付けられたレンズ１００を有する眼鏡２００の側面図である。
【図２ｂ】図２ｂは、眼鏡２００の正面図である。
【図３】図３は、レンズにコーティングを加える方法の一つの実施例である。
【符号の説明】
【００３５】
１００  レンズ                    １１０  縁
１２０  表面                      ２００  眼鏡
２１０  フレーム                  ２２０  白いリング
【図２ｂ】
2004526204.tif 000003
【図３】
2004526204.tif 000004
【国際公開パンフレット】
2004526204.tif 000005
2004526204.tif 000006
2004526204.tif 000007
2004526204.tif 000008
2004526204.tif 000009
2004526204.tif 000010
2004526204.tif 000011
2004526204.tif 000012
2004526204.tif 000013
2004526204.tif 000014
2004526204.tif 000015
2004526204.tif 000016
2004526204.tif 000017
【国際調査報告】
2004526204.tif 000018